(57)【特許請求の範囲】
【請求項１】
両側に少なくとも１つの固定用穴部が形成されるハードディスク本体を固定するハードディスク固定装置において、
第一側板と、その第一側板と直交する第二側板と、を具備するＬ状の第一側框と、
第三側板と、その第三側板と直交する第四側板と、を具備するＬ状の第二側框と、を含み、
前記第二側板が回転可能に前記第四側板に装着され、
前記第一側板と前記第三側板には、前記ハードディスク本体の固定用穴部に係合される少なくとも１つの固定部材が設置されていることを特徴とするハードディスク固定装置。
【請求項２】
前記第四側板の上下両側には、互いに平行し、且つ離間して形成される２つの板体が形成され、且つ２つの板体の間には、前記第二側板を装着させる空間が形成されていることを特徴とする請求項１に記載のハードディスク固定装置。
【請求項３】
前記第二側板の他端には、互いに向き合う２つの弾性部と、その２つの弾性部に形成される２つの位置決め穴と、を含む位置決め手段が形成され、
前記第三側板に接近する板体の内面には、前記位置決め穴に係合される突出部が形成されており、その突出部の端面が斜面状となるよう構成されていることを特徴とする請求項２に記載のハードディスク固定装置。
【請求項４】
前記第一側板に接近する前記第二側板の一端には、ピン用穴が形成され、前記第三側板が形成されない前記第四側板の一端には、ピン用穴が形成され、前記第二側板のピン用穴及び前記第四側板のピン用穴に１つのピンが挿入されていることを特徴とする請求項１に記載のハードディスク固定装置。
【請求項５】
前記第一側框の第一側板及び前記第二側框の第三側板には、少なくとも１つの係合用穴がそれぞれ形成され、
前記固定部材は、前記ハードディスク本体の固定用穴部に係合される係合ピンと、対応する側板の係合用穴に係合される係合部材と、を含むことを特徴とする請求項１に記載のハードディスク固定装置。
【請求項６】
前記係合部材は、止動部と、その止動部と直交するように形成される挿入部と、その挿入部の外周面に突出する係合部と、を含み、
前記係合用穴は、前記止動部に係合される第一凹部と、その第一凹部に直交するように貫通する円状の穴部と、前記穴部の内面に形成されて前記係合部を係合させる矩形の第二凹部と、を含むことを特徴とする請求項５に記載のハードディスク固定装置。
【請求項７】
前記係合部材を弾性材料から製造することを特徴とする請求項５に記載のハードディスク固定装置。
【発明の詳細な説明】
【技術分野】
【０００１】
本発明は、ハードディスク本体をパソコンケースに固定させるハードディスク固定装置に関する。
【背景技術】
【０００２】
従来の技術において、ハードディスク本体をパソコンケースに収納させた後、ネジなどの固体手段を介して、ハードディスク本体を収納ケースに固定させる。又は、ネジなどの固体手段を介して、前記ハードディスク本体の両側にガイドレール又はローラーを設置し、パソコンケースの内部に対応するローラー又はガイドレールを設置した後、前記ハードディスク本体を前記パソコンケースへと押して固定させる。しかし、上述した固定手段は、ネジを多く必要するので、固定する過程が複雑になる。
【発明の開示】
【発明が解決しようとする課題】
【０００３】
以上の問題点に鑑みて、ハードディスク本体をパソコンケースに簡単に着脱することができるハードディスク固定装置を提供するのを目的とする。
【課題を解決するための手段】
【０００４】
この目的を達成するために、両側に少なくとも１つの固定用穴部が形成されるハードディスク本体を固定するハードディスク固定装置を提供する。前記ハードディスク固定装置は、第一側板と、その第一側板と直交する第二側板と、を具備するＬ状の第一側框と、第三側板と、その第三側板と直交する第四側板と、を具備するＬ状の第二側框と、を含む。且つ、前記第二側板が回転可能に前記第四側板に装着され、前記第一側板と前記第三側板には、前記ハードディスク本体の固定用穴部に係合される少なくとも１つの固定部材が設置されていることを特徴とする。
【発明の効果】
【０００５】
上述したように、前記第二側板が回転可能に前記第四側板に装着されている。且つ、前記第四側板に対して前記第二側板が回転する場合、前記ハードディスク本体が前記パソコンケースに固定されるか、前記パソコンケースから開放される。従って、前記ハードディスク本体を簡単に着脱することができる。
【発明を実施するための最良の形態】
【０００６】
以下、図面に基づいて、本発明の実施形態にハードディスク固定装置に対して詳細に説明する。
【０００７】
図１は、本発明の実施形態に係るハードディスク固定装置を示す斜視分解図である。本発明のハードディスク固定装置は、ハードディスク本体１００をパソコン用ケース（図示せず）に固定させる。前記ハードディスク固定装置は、第一側框２０と、第二側框３０と、第三側框４０と、複数の固定部材５０と、２つのピン６０と、を含む。前記ハードディスク本体１００の両側面には、固定用穴部１２０がそれぞれ形成されている。
【０００８】
図１と図２に示したように、前記第一側框２０は、第一側板２２と、その第一側板２２と直交する第二側板２４と、を含むＬ状体である。前記第一側板２２に接近する前記第二側板２４の一端には、前記ピン６０を挿入させるピン用穴２５が形成されている。前記第一側板２２の側面には、複数の係合用穴２３が形成されている。前記係合用穴２３は、前記第一側板２２の内面に形成される矩形の第一凹部２３２と、前記第一凹部２３２の中心に位置し、且つ第一側板２２に直交するように貫通される円状の穴部２３６と、前記穴部２３６の内面に第一側板２２の長手方向に沿って形成される矩形の第二凹部２３４と、を含む。前記第二側板２４の他端には、位置決め手段２６が形成されている。前記位置決め手段２６は、互いに向き合う２つの弾性部２６２と、その２つの弾性部２６２に同軸に形成される２つの位置決め穴２６４と、を含む。
【０００９】
前記第二側框３０は、第三側板３２と、その第三側板３２と直交する第四側板３４と、を含むＬ状体である。前記第四側板３４の側面にも、前記第一側板２２の係合用穴２３と構造が同じである複数の係合用穴３２２が形成されている。前記第四側板３４の上下両側には、互いに平行し、且つ離間して形成される２つの板体３４２が形成されている。前記２つの板体の間には、前記第二側板を装着させる空間が形成されている。前記第三側板３２に接近する各々の板体３４２の内面には、端面が斜面である突出部３４４が形成されている。前記第三側板３２が形成されない前記板体３４２の他端には、前記ピン６０を挿入させる２つのピン用穴３４６と、側面へ突出したヒンジ部３５と、が形成されている。前記中心のヒンジ部３５には、前記ピン６０を挿入させるピン用穴３５２が形成されている。前記第四側板３４に接近する第三側板３２の端末には、第三側板３２の長手方向へ延長した延長部３６が形成されている。
【００１０】
前記第三側框４０は、端面に矩形の係合穴４２２が形成される本体４２と、その本体４２の側面に形成される取手４４と、を含む。前記取手４４の一端には、取手４４に直交するように形成され、且つ前記ピン６０を挿入させるピン用穴４４２が形成されている。
【００１１】
前記固定部材５０は、前記ハードディスク本体１００の固定用穴部１２０に係合される係合ピン５２と、前記第四側板３２の係合用穴３２２又は前記第一側板２２の係合用穴２３に係合される係合部材５４と、を含む。前記係合部材５４は、矩形の止動部５４２と、その止動部５４２と直交するように一体に形成される柱状の挿入部５４４と、その挿入部５４４の外周面に突出される係合部５４６と、を含む。前記係合ピン５２と向き合う前記係合部材５４の端面には、係合ピン５２を固定させる孔部（図示せず）が形成されている。前記ハードディスク本体１００に対する衝撃を減らすために、通常弾性材用で前記係合部材５４を製造する。
【００１２】
図３と図４を参照しなさい。ハードディスク固定装置で前記ハードディスク本体１００を固定する場合、まず、前記ハードディスク本体１００の固定用穴部１２０と、前記第二側板３２の係合用穴３２２及び前記第一側板２２の係合用穴２３と、が同軸に置かれるようにする。次に、１つの固定部材５０を前記第一側板２２の内側から係合用穴２３に装着させる。これにより、前記係合部材５４の止動部５４２が前記係合用穴２３の第一凹部２３２に当接され、前記挿入部５４４が前記穴部２３６に挿入され、前記係合部５４６が前記第二凹部２３４に係合される。次に、同じような方法で他の固定部材５０を前記第二側框３０の内側から係合用穴３２２に装着させる。
【００１３】
次に、前記第一側框２０の第二側板２４を前記第二側框３０の２つの板体３４２の間に装着させる。次に、前記第一側框２０が前記第二側框３０に対して回転するように、前記ピン６０を前記第一側框２０のピン用穴２５及び前記第二側框３０のピン用穴３４６に挿入させる。前記第一側框２０が前記第二側框３０に相対して回転する場合、その第二側框３０の突出部３４４が前記弾性部２６２の位置決め穴２６４に係合される。これで、前記突出部３４４の端面が斜面状に形成されているので、前記第一側框２０を回転する場合、突出部３４４が位置決め穴２６４に容易に係合されることができる。次に、前記第三側框４０の取手４４が前記第三側框４０及び第二側框３０に対して回転するように、前記ピン６０を前記第三側框４０のピン用穴４４２及び前記第二側框３０のピン用穴３５２に挿入させる。次に、前記第二側框３０の延長部３６を前記第三側框４０の係合穴４２２に係合させる。
【００１４】
ハードディスク固定装置で前記ハードディスク本体１００を完全に固定する前には、そのハードディスク固定装置を開放させる。即ち、前記第一側框２０の弾性部２６２を押して、前記第二側框３０の突出部３４４が前記弾性部２６２の位置決め穴２６４から分離し、前記第一側框２０が前記第二側框３０に対して回転するようにする。次に、前記ハードディスク本体１００の固定用穴部１２０と、前記第二側板３２の固定部材５０と、が同軸に置かれるようにし、前記固定部材５０の係合ピン５２をそのハードディスク本体１００の固定用穴部１２０に挿入させる。次に、前記ハードディスク本体１００に接近する方向に沿って前記第一側框２０を回転させて、前記固定部材５０の係合ピン５２が前記ハードディスク本体１００の固定用穴部１２０に挿入するようにする。次に、前記ハードディスク本体１００に接近する方向へ前記第一側框２０が再度回転して、前記第二側框３０の突出部３４４が前記弾性部２６２の位置決め穴２６４に係合されると、ハードディスク本体１００を固定する工程が完了する。
【００１５】
前記ハードディスク固定装置に固定される前記ハードディスク本体１００を開放させる場合、前記第一側框２０の弾性部２６２を押して、前記第二側框３０の突出部３４４が前記弾性部２６２の位置決め穴２６４から分離するようにする。次に、前記ハードディスク本体１００から遠ざかる方向へ前記第一側框２０を回転させると、前記ハードディスク本体１００が開放される。
【図面の簡単な説明】
【００１６】
【図１】本発明のハードディスク固定装置を示す分解斜視図である。
【図２】本発明のハードディスク固定装置用第一側框を示す斜視図である。
【図３】本発明のハードディスク固定装置でハードディスク本体を固定する状態示す斜視図である。
【図４】本発明のハードディスク固定装置でハードディスク本体を固定する状態示す斜視図である。
【符号の説明】
【００１７】
２０  第一側框
２２  第一側板
２４  第二側板
２５  ピン用穴
２３  係合用穴
２３２  矩形の第一凹部
２３６  円状の穴部
２３４  矩形の第二凹部
２６  位置決め手段
２６２  弾性部
２６４  位置決め穴
３０  第二側框
３２  第三側板
３２２  係合用穴
３４  第四側板
３４２  板体
３４４  突出部
３４６  ピン用穴
３５  ヒンジ部
３５２  ピン用穴
３６  延長部
４０  第三側框
４２  本体
４２２  矩形の係合穴
４４  取手
４４２  ピン用穴
５０  固定部材
５２  係合ピン
５４  係合部材
５４２  矩形の止動部
５４４  柱状の挿入部
５４６  係合部
６０  ピン
１００  ハードディスク本体
１２０  固定用穴部
【図１】
0004991660.tif 000002
【図２】
0004991660.tif 000003
【図３】
0004991660.tif 000004
【図４】
0004991660.tif 000005